(57)【要約】【課題】  吸盤での吸着で安定した設置が可能であるとともに、軽量で扱い易く、しかも、吸盤の吸着を簡単かつ確実に操作でき、移動にも便利なものである。【解決手段】  スタンド台座部１３は、下方に吸盤シート１９を敷く内側円錐台形輪体１７に、外側円錐台形輪体１８を回動自在に被せ、内側円錐台形輪体１７に形成した傾斜上昇ガイド２５に沿って外側円錐台形輪体１８の第１の三角突片２９を係合させ、また、外側円錐台形輪体１８は吸盤シート１９の中央部を軸着して吊支する。【選択図】        図１
2005284017.tif 000002
【特許請求の範囲】
【請求項１】
スタンド台座部として、下方に吸盤シートを敷く内側円錐台形輪体に、外側円錐台形輪体を回動自在に被せ、内側円錐台形輪体に形成した傾斜上昇ガイドに沿って外側円錐台形輪体の突起を係合させ、また、外側円錐台形輪体は吸盤シートの中央部を軸着して吊支することを特徴とした吸着具。
【請求項２】
吸盤シートは中央部に円盤体を設け、この円盤体中心に形成するボス部を外側円錐台形輪体の天井部から下方に突設するボス受けに嵌着する請求項１記載の吸着具。
【請求項３】
内側円錐台形輪体に形成した傾斜上昇ガイドは、上端縁に形成した切欠き部分であり、等周間隔で複数を設けるとともに、この傾斜上昇ガイドに係合する外側円錐台形輪体の突起は底辺が係合する三角突片であり、傾斜上昇ガイドは最上昇位置の手前に三角突片が乗越え可能な障害段線を形成する請求項１または請求項２記載の吸着具。
【請求項４】
三角突片は先端角から外れ防止突起を下向きに設け、また、外側円錐台形輪体の内側に第２の三角突片を設け、この第２の三角突片は内側円錐台形輪体の上端縁に形成した切欠き部分相互間の端部分に形成した台形山部に係合可能とする請求項３に記載の吸着具。
【発明の詳細な説明】
【技術分野】
【０００１】
本発明は、メモやカードまたはポップ等の用紙をクリップ部で保持する用紙保持スタンドなどに使用する吸着具に関するものである。
【背景技術】
【０００２】
従来、コンピュータへの入力や書類のタイプの際に、書類等の紙葉をペーパースタンドに挟んでこれを参照しながら作業することは一般的に行われている。この種のペーパースタンドでは、紙葉を直立させるために紙葉を湾曲して挟むものが知られており、机上で安定して紙葉を保持するために該スタンドに錘や磁石などが設けられている。
【０００３】
例えば、商店等に設置されるスタンドに設けられたクリップにポップを挟んで表示するようにしたスタンドクリップとしては下記特許文献のものが知られている。
【０００４】
【特許文献１】特開２００１−２２２２２２号公報
【０００５】
これは図１０に示すように、スタンドクリップ１は、立設された支柱２の上端に水平に付設される長尺のクリップ本体３と、該クリップ本体３の両側の長手方向に沿って枢設された長尺の押え部材４、４と、該押え部材４、４の下方押え部５、５をクリップ本体３側に弾性的に圧接させてポップを挟圧保持するようにしたバネ部材６、６とから成り、クリップ本体３の上側長手方向に厚手のボードＢを立設状に保持する挟持片７、７が設けられ、夫々の押え部材４の上部に設けられた押圧片８をバネ部材６の弾性力に抗して押し込むことにより該押え部材４の下方押え部５を開く方向に回動する一方、夫々の押え部材４の下部に設けられた引上片９を引き上げることにより該押え部材４の下方押え部５を開く方向に回動するようにしたものである。
【０００６】
ベース１０に立設された支柱２の上端には長尺のクリップ本体３が固設されている。ベース１０は金属製平板から成り、その重量を確保することによって支柱２の転倒を防止するようにしている。なお、ベース１０の端部から中央に向かって凹み部１１が形成されているため、このベース１０の凹み部１１に他の同一構成のベース１０に固設された支柱２を収納して多数枚のベース１０を重ねた状態に保管することを可能としている。
【０００７】
また、支柱２は小径の上方パイプ２ａとそれよりも大径の下方パイプ２ｂとから成り、上方パイプ２ａを下方パイプ２ｂに差し込んで、その伸長高さを所定位置で固定するためのストッパー１２を備えている。
【発明の開示】
【発明が解決しようとする課題】
【０００８】
従来のペーパースタンドやスタンドクリップは、ベースや台座部に金属製平板を使用したり、錘や磁石錘や磁石を設けたりしているために、比較的重く、しかも、転倒や動いてしまうおそれがある。
【０００９】
これに対して吸盤を使用して設置の安定性を確保するものもあるが、吸盤は一端取り付けると解除するのに困難であり、また、隙間ができると吸着力が低下して固定不能な事態にもなる。
【００１０】
本発明の目的は前記従来例の不都合を解消し、吸盤での吸着で安定した設置が可能であるとともに、軽量で扱い易く、しかも、吸盤の吸着を簡単かつ確実に操作でき、移動にも便利である吸着具を提供することにある。
【課題を解決するための手段】
【００１１】
請求項１記載の本発明は前記目的を達成するため、スタンド台座部は、下方に吸盤シートを敷く内側円錐台形輪体に、外側円錐台形輪体を回動自在に被せ、内側円錐台形輪体に形成した傾斜上昇ガイドに沿って外側円錐台形輪体の突起を係合させ、また、外側円錐台形輪体は吸盤シートの中央部を軸着して吊支することを要旨とするものである。
【００１２】
請求項１記載の本発明によれば、スタンド台座部は吸盤で固定できるものであり、外側円錐台形輪体を回せば、突起が傾斜上昇ガイドに沿って移動して、その上昇分外側円錐台形輪体が競りあがり、内側円錐台形輪体の下方に敷かられた吸盤シートの中央部を吊り上げる。これにより、吸盤は周囲を内側円錐台形輪体で抑えられながら吸引され、吸着を高める。
【００１３】
また、外側円錐台形輪体を逆に回転させれば、外側円錐台形輪体が競り下がり前記吸盤は平坦となって吸引力が弱まり、剥がし易い状態となる。
【００１４】
請求項２記載の本発明は、吸盤シートは中央部に円盤体を設け、この円盤体中心に形成するボス部を外側円錐台形輪体の天井部から下方に突設するボス受けに嵌着することを要旨とするものである。
【００１５】
請求項２記載の本発明によれば、吸盤シートは中央部に設けた円盤体を介して牽引されるので比較広い範囲を均等に安定して持ち上げ、吸引力を確実かつ効率的に発揮させることができ、また、この円盤体と外側円錐台形輪体との結合はボス部とボス受けとの嵌着なので、吸盤シートおよび円盤体がその場に固定するものであっても外側円錐台形輪体は自由に回転できる。
【００１６】
請求項３記載の本発明は、内側円錐台形輪体に形成した傾斜上昇ガイドは、上端縁に形成した切欠き部分であり、等周間隔で複数を設けるとともに、この傾斜上昇ガイドに係合する外側円錐台形輪体の突起は底辺が係合する三角突片であり、傾斜上昇ガイドは最上昇位置の手前に三角突片が乗越え可能な障害段線を形成することを要旨とするものである。
【００１７】
請求項３記載の本発明によれば、傾斜上昇ガイドを切欠きにより簡単に形成できるとともに、ここに外側円錐台形輪体の突起を簡単に係合させることができ、また、外側円錐台形輪体の三角突片は障害段線を乗越えることで傾斜上昇ガイドの最上昇位置に保持され、後戻りすることもない。なお、吸盤の吸着力を解除するために外側円錐台形輪体を逆に回す場合には、三角突片は障害段線を乗越えて傾斜上昇ガイドに沿って下降する。
【００１８】
請求項４記載の本発明は、三角突片は先端角から外れ防止突起を下向きに設け、また、外側円錐台形輪体の内側に第２の三角突片を設け、この第２の三角突片は内側円錐台形輪体の上端縁に形成した切欠き部分相互間の端部分に形成した台形山部に係合可能とすることを要旨とするものである。
【００１９】
請求項４記載の本発明によれば、前記請求項３において、外側円錐台形輪体の三角突片は障害段線を乗越えることで傾斜上昇ガイドの最上昇位置に保持される際に外側円錐台形輪体の内側に第２の三角突片も切欠き部分相互間の端部分に形成した台形山部に乗り上げて係合し、より固定を確実なものにすることができる。
【発明の効果】
【００２０】
以上述べたように本発明の吸着具は、吸盤での吸着で安定した設置が可能であるとともに、軽量で扱い易く、しかも、吸盤の吸着を簡単かつ確実に操作でき、移動にも便利なものである。
【発明を実施するための最良の形態】
【００２１】
以下、図面についてこの発明の実施形態を詳細に説明する。図１、図２は本発明の吸着具を用紙保持スタンドの台座部として使用する１実施形態を示す要部の一部切欠いた正面図である。
【００２２】
先に、本発明の用紙保持スタンドの全体について説明すると、図５〜図７に示すように、台座部１３とこの台座部１３から立設する複数のロッドを伸縮自在に多段配置したポール１４とポール１４の先端に設けた用紙挟着のクリップ部１５からなる。
【００２３】
前記用紙挟着のクリップ部１５は、立設されたポール１４の上端に球体軸着（図示せず）でピポット的に結合するもので、長尺のクリップ本体１５ａと、該長尺のクリップ本体１５ａに枢設された押え部材１５ｂと、該押え部材１５ｂの下方押え部１５ｃを長尺のクリップ本体１５ａ側に弾性的に圧接させて用紙１６を挟圧保持するようにした板バネ部材１５ｄとから成る。
【００２４】
台座部１３はともに半透明の合成樹脂製の内側円錐台形輪体１７と外側円錐台形輪体１８とからなり、さらに、内側円錐台形輪体１７はその下に円形の吸盤シート１９を敷くものである。
【００２５】
吸盤シート１９は可撓性なもので、大きさは内側円錐台形輪体１７の下端に形成した外向きフランジ２２よりも多少大きめのものであり、円周上に摘み片１９ａを形成し、また、円周より少し内側に突起１９ｂを間隔を存して円形に並べて配列した。
【００２６】
さらに、吸盤シート１９は中央部に半透明の合成樹脂製の円盤体２０を設け、この円盤体２０の中心にボス部２１を形成する。なお、このボス部２１は外側円錐台形輪体１８天井部から下方に突設するボス受け２３に回動自在に嵌着させる。
【００２７】
内側円錐台形輪体１７は上端縁２４に切欠き部分を形成し、この切欠き部分の底線を傾斜させて傾斜上昇ガイド２５とする。傾斜方向は内側円錐台形輪体１７を上から見て時計回りの方向に上昇するものとする。
【００２８】
この切欠き部分による傾斜上昇ガイド２５は、内側円錐台形輪体１７に等周間隔で複数（図示では３個）を設けるとともに最上昇位置の手前に障害段線２６を形成する。この障害段線２６は後述の外側円錐台形輪体１８の第１の三角突片２９が乗越え可能なものである。前記最上昇位置とこの障害段線２６との間の幅は前記第１の三角突片２９の幅とほぼ同一である。
【００２９】
また、内側円錐台形輪体１７の上端縁２４で前記切欠き部分相互間の端部分（切欠き部分に接続する部分）に一端が傾斜辺となる台形山部２７を設けた。
【００３０】
さらに、前記内側円錐台形輪体１７の下端に形成した外向きフランジ２２の内周側に凹部２８を前記吸盤シート１９の突起１９ｂよりも近接する間隔（突起１９ｂ相互の間隔より半分の間隔）で周方向に形成した、この凹部２８は突起１９ｂが嵌まる程度の大きさとする。
【００３１】
外側円錐台形輪体１８の内側に前記内側円錐台形輪体１７の傾斜上昇ガイド２５に底辺が係合する突起として第１の三角突片２９を設け、第１の三角突片２９は先端角から傾斜上昇ガイド２５の外れ防止突起３０を下向きに設けた。
【００３２】
また、外側円錐台形輪体１８の内側に前記第１の三角突片２９に間隔を置いて並べて第２の三角突片３１を設けた。この第２の三角突片３１は第１の三角突片２９よりも小ぶりなものであり、第１の三角突片２９が傾斜上昇ガイド２５に沿って移動する時に内側円錐台形輪体１７の上端縁２４で前記切欠き部分相互間の上方を移動し、台形山部２７にその一端の傾斜辺側から乗り上げるものである。
【００３３】
外側円錐台形輪体１８は天井部中央にはシリコン部材で形成した球形凹部３３を有し、この球形凹部３３にポール１４の下端の球体３４を嵌め込むことで、外側円錐台形輪体１８に対してポール１４はピポット的に軸着される。
【００３４】
外側円錐台形輪体１８と内側円錐台形輪体１７と吸盤シート１９の組合せは、前記のごとく吸盤シート１９は内側円錐台形輪体１７の下に敷かれるものであり、外側円錐台形輪体１８は内側円錐台形輪体１７の上に被さり、吸盤シート１９の突起１９ｂは内側円錐台形輪体１７の凹部２８の一つに嵌まり両者のずれは防止される。
【００３５】
また、外側円錐台形輪体１８の第１の三角突片２９は内側円錐台形輪体１７の傾斜上昇ガイド２５の上に乗り、この第１の三角突片２９を介して外側円錐台形輪体１８は支えられるが、第１の三角突片２９は周方向に３点あるので、回転しやすく均等に支持される。
【００３６】
次に使用法について説明する。本発明の用紙保持スタンドは台座部１３によりポール１４を立設し、図９に示すようにクリップ部１５でメモやポップその他の用紙１６を挟む。
【００３７】
また、ポール１４は複数のロッドを伸縮自在に多段配置したものであり、図７に示すように伸縮させることにより、また、図８に示すように傾倒させることにより、クリップ部１５の位置を自由に変更できる。
【００３８】
台座部１３においては、外側円錐台形輪体１８を時計回りに回転させると、第１の三角突片２９が傾斜上昇ガイド２５に沿って移動し、外側円錐台形輪体１８は内側円錐台形輪体１７に対して競り上げる。
【００３９】
その結果、この外側円錐台形輪体１８が吸盤シート１９の中央を吊り上げることになり、しかも、吸盤シート１９は内側円錐台形輪体１７の下方に敷かれて周囲を抑えられながら吸引され、吸着を高める。
【００４０】
外側円錐台形輪体１８の回動の最終段階では、第１の三角突片２９が障害段線２６を乗越えて納まり、また、第２の三角突片３１が台形山部２７にその一端の傾斜辺側から乗り上げて固定状態となる。
【００４１】
一方、吸盤シート１９の吸引を解除するには、外側円錐台形輪体１８を逆に回せば、外側円錐台形輪体１８は競り下がり、吸盤シート１９の吊支がなくなるので、この吸盤シート１９は平坦となる。吸盤シート１９を剥がすには摘み片１９ａを利用できる。
【００４２】
以上述べたように本発明の吸着具はクリップ部を有する用紙保持スタンドの台座部を構成する例で説明したが、用紙保持機構としてはクリップ部の他に磁石での挟み込み等のものも考えられ、さらに、用紙保持用としてではなく、他の用途のスタンド用台座部、例えば、接着テープホルダー用台座部など他の用途のものにも広く応用できるものである。
【図面の簡単な説明】
【００４３】
【図１】本発明の吸着具の１実施形態を示す一部切欠いた正面図で、外側円錐台形輪体の上昇前を示すものである。
【図２】本発明の吸着具の１実施形態を示す要部の一部切欠いた正面図で、外側円錐台形輪体の上昇後を示すものである。
【図３】本発明の吸着具の１実施形態を示す台座部の分解斜視図である。
【図４】本発明の吸着具の１実施形態を示す要部の縦断正面図である。
【図５】本発明の吸着具を台座部として用いた用紙保持スタンドの正面図である。
【図６】本発明の吸着具を台座部として用いた用紙保持スタンドの斜視図である。
【図７】本発明の吸着具を台座部として用いた用紙保持スタンドの正面図で、ポールの伸縮を示すものである。
【図８】本発明の吸着具を台座部として用いた用紙保持スタンドの正面図で、ポールの傾倒を示すものである。
【図９】本発明の吸着具を台座部として用いた用紙保持スタンドの使用状態を示す正面図である。
【図１０】従来例を示す斜視図である。
【符号の説明】
【００４４】
１…スタンドクリップ              ２…支柱
２ａ…上方パイプ                  ２ｂ…下方パイプ
３…クリップ本体                  ４…押え部材
５…下方押え部                    ６…バネ部材
７…挟持片                        ８…押圧片
９…引上片                        １０…ベース
１１…凹み部                      １２…ストッパー
１３…台座部                        １４…ポール
１５…クリップ部                  １５ａ…長尺のクリップ本体
１５ｂ…押え部材                  １５ｃ…下方押え部
１５ｄ…板バネ部材
１６…用紙                        １７…内側円錐台形輪体
１８…外側円錐台形輪体            １９…吸盤シート
１９ａ…摘み片                    １９ｂ…突起
２０…円盤体                      ２１…ボス部
２２…外向きフランジ              ２３…ボス受け
２４…上端縁                      ２５…傾斜上昇ガイド
２６…障害段線                    ２７…台形山部
２８…凹部                        ２９…第１の三角突片
３０…外れ防止突起                ３１…第２の三角突片
３３…球形凹部                    ３４…球体
【図１】
2005284017.tif 000003
【図２】
2005284017.tif 000004
【図３】
2005284017.tif 000005
【図４】
2005284017.tif 000006
【図５】
2005284017.tif 000007
【図６】
2005284017.tif 000008
【図７】
2005284017.tif 000009
【図８】
2005284017.tif 000010
【図９】
2005284017.tif 000011
【図１０】
2005284017.tif 000012